(57)【要約】【課題】  効率的に作業を行うことができ、作業に伴う肉体的な負担を軽減することもできる天井下地の施工方法を提供する。【解決手段】  床２を構築する床構築工程と、床２の上で天井下地７を組む天井下地組立工程と、柱１１を施工する柱施工工程と、柱１１の上方に梁１２を施工する梁施工工程と、天井下地７を上方に持ち上げる天井下地持上工程と、上方に持ち上げられた天井下地７を梁１２の下方に仮固定する天井下地仮固定工程と、壁１４を構築する壁構築工程と、壁１４の上側部分であって、梁１２の下方に仮固定された天井下地７よりも下側となる部分に、側野縁１５を取り付ける側野縁取付工程と、天井下地７の仮固定を外し、天井下地７の端部が側野縁１５に載る位置まで天井下地７を下降させる天井下地下降工程とを経て天井下地７を施工する。【選択図】  図１４
2020122264.tif 000002
【特許請求の範囲】
【請求項１】
床を構築する床構築工程と、
床の上で天井下地を組む天井下地組立工程と、
柱を施工する柱施工工程と、
柱の上方に梁を施工する梁施工工程と、
天井下地を上方に持ち上げる天井下地持上工程と、
上方に持ち上げられた天井下地を梁の下方に仮固定する天井下地仮固定工程と、
壁を構築する壁構築工程と、
壁の上側部分であって、梁の下方に仮固定された天井下地よりも下側となる部分に、側野縁を取り付ける側野縁取付工程と、
天井下地の仮固定を外し、天井下地の端部が側野縁に載る位置まで天井下地を下降させる天井下地下降工程と
を経ることを特徴とする天井下地の施工方法。
【請求項２】
天井下地組立工程で組まれる天井下地が、
互いに略平行に配された複数本の野縁受と、
野縁受の下面側に取り付けられ、野縁受に略直交する向きで互いに略平行に配された複数本の野縁と
で構成され、
天井下地下降工程において、野縁受の端部が側野縁に載るようにした
請求項１記載の天井下地の施工方法。
【請求項３】
天井下地が、隣り合う野縁の端部に跨った状態で当該端部の上面側に取り付けられる胴縁を備え、
天井下地下降工程において、野縁受の端部及び胴縁が側野縁に載るようにした
請求項２記載の天井下地の施工方法。
【請求項４】
野縁受の中途部分の下面側に、野縁を嵌合するための野縁嵌合凹部が設けられ、
野縁受の端部の下面側に、側野縁を嵌合するための側野縁嵌合凹部が設けられた
請求項２又は３記載の天井下地の施工方法。
【請求項５】
天井下地組立工程において、天井下地を建物の室ごとに組む請求項１〜４いずれか記載の天井下地の施工方法。
【発明の詳細な説明】
【技術分野】
【０００１】
本発明は、建物における天井下地の施工方法に関する。
【背景技術】
【０００２】
一般的な家屋における天井下地は、特許文献１の図２に示されるように、互いに平行に配された複数本の野縁受１４（同図では１本のみが図示されている。）と、野縁受１４の下面側に取り付けられ、互いに略平行に配された複数本の野縁１５（同図では２本のみが図示されている。）とで構成される。野縁受１４と野縁１５は、互いに直交する状態に配される。野縁受１４は、梁（図示省略）等から垂下された吊木１３の下端部に固定される。天井板１６は、天井下地（野縁１５）の下面に固定される。
【０００３】
この種の天井下地は、通常、
［手順１］  吊木を梁に固定する。
［手順２］  吊木の下端部に野縁受を取り付ける。
［手順３］  野縁受の下面側に野縁を取り付ける。
という手順を経て施工される。
しかし、上記手順１〜３はいずれも、脚立等の不安定な足場上で上を見上げながらの作業となるため、作業効率が悪くなることに加えて、肉体的な負担が大きかった。
【先行技術文献】
【特許文献】
【０００４】
【特許文献１】特開平０８−０８２０３５号公報
【発明の概要】
【発明が解決しようとする課題】
【０００５】
本発明は、上記課題を解決するために為されたものであり、効率的に作業を行うことができ、作業に伴う肉体的な負担を軽減することもできる天井下地の施工方法を提供するものである。
【課題を解決するための手段】
【０００６】
上記課題は、
床を構築する床構築工程と、
床の上で天井下地を組む天井下地組立工程と、
柱を施工する柱施工工程と、
柱の上方に梁を施工する梁施工工程と、
天井下地を上方に持ち上げる天井下地持上工程と、
上方に持ち上げられた天井下地を梁の下方に仮固定する天井下地仮固定工程と、
壁を構築する壁構築工程と、
壁の上側部分であって、梁の下方に仮固定された天井下地よりも下側となる部分に、側野縁を取り付ける側野縁取付工程と、
天井下地の仮固定を外し、天井下地の端部が側野縁に載る位置まで天井下地を下降させる天井下地下降工程と
を経ることを特徴とする天井下地の施工方法
を提供することによって解決される。
【０００７】
ここで、床構築工程における「床を構築する」とは、その上で人が作業をすることができる程度に床を構築することをいい、必ずしも床仕上材が張られた状態となるまで床を施工することを意味しない。床仕上材が張られていなくても、大引及び根太が組まれたり、床下地板（通常、合板）が張られたりしていて、その上で人が作業できる状態となるのであれば、「床を構築する」の概念に含まれるものとする。
【０００８】
また、天井下地組立工程における「床の上で天井下地を組む」とは、床に足を着けた状態（立った状態、屈んだ状態又は座った状態等）で天井下地を組むことをいい、必ずしも、天井下地の構成材（後述する野縁受や野縁等）を床に置いた状態で作業することを意味しない。天井下地の構成材を作業台等の上に置いて作業する場合であっても、床に足を着けた状態で作業できるのであれば、「床の上で天井下地を組む」の概念に含まれるものとする。
【０００９】
さらに、壁構築工程における「壁を構築する」とは、それに側野縁を取り付けることができる程度に壁を構築することをいい、必ずしも壁紙や漆喰塗等の仕上げが施された状態となるまで壁を施工することを意味しない。壁に仕上が施されていなくても、内壁下地用の石膏ボード等が張られていること等により、それに側野縁を取り付けることができる状態となるのであれば、「壁を構築する」の概念に含まれるものとする。
【００１０】
本発明の施工方法では、上記のように、天井下地を床の上で組むことができるため、天井下地を組む際には、脚立等の不安定な足場で作業する必要がないだけでなく、上側を見上げる必要もない。このため、天井下地の組立作業を効率的に行うことができる。また、作業に伴う肉体的な負担を軽減することもできる。さらに、天井下地組立工程を上棟日に行うことができ、工期を短縮することもできる。
【００１１】
本発明の施工方法において、天井下地組立工程で組まれる天井下地は、その構造を特に限定されないが、
互いに略平行に配された複数本の野縁受と、
野縁受の下面側に取り付けられ、野縁受に略直交する向きで互いに略平行に配された複数本の野縁と
で構成し、
天井下地下降工程において、野縁受の端部が側野縁に載るようにする
ことが好ましい。
【００１２】
というのも、野縁受と野縁から構成された天井下地は、既に述べたように、
［手順１］  吊木を梁に固定する。
［手順２］  吊木の下端部に野縁受を取り付ける。
［手順３］  野縁受の下面側に野縁を取り付ける。
という手順を経て施工される。このうち、例えば、上記手順３を行う場合には、複数本の野縁が略平行になり、且つ、隣り合う野縁の間隔が略一定となるように、野縁受に対して野縁を位置決めしていく必要があり、このような作業を不安定な足場上で上を見上げながら行うことは非常に大変である。したがって、このような構造の天井下地を施工する場合に本発明の施工方法を採用すると、本発明の施工方法を採用する意義が高まるからである。
【００１３】
本発明の施工方法において、天井下地を野縁受と野縁で構成する場合には、
天井下地を、隣り合う野縁の端部に跨った状態で当該端部の上面側に取り付けられる胴縁を備えたものとし、
天井下地下降工程において、野縁受の端部及び胴縁が側野縁に載るようにする
ことが好ましい。
【００１４】
というのも、野縁は、最終的（上記の天井下地下降工程を終えた後）には、側野縁と同じ高さとされる。このため、野縁の端部下面は、側野縁の上面よりも下側に位置するようになり、野縁の端部下面を側野縁の上面に載せることができない。したがって、天井下地は、その４辺のうち、野縁受の端部が位置する２辺でのみ側野縁に支持され、野縁の端部が位置する他の２辺では側野縁に支持されなくなる。よって、天井下地の安定性が悪くなる。この点、上記のように、野縁の端部上面に胴縁を取り付けることで、前記他の２辺（野縁の端部が位置する２辺）では、胴縁を側野縁に載せることで、天井下地の安定性を高めることが可能になるからである。
【００１５】
また、本発明の施工方法において、天井下地を野縁受と野縁で構成する場合には、
野縁受の中途部分の下面側に、野縁を嵌合するための野縁嵌合凹部を設け、
野縁受の端部の下面側に、側野縁を嵌合するための側野縁嵌合凹部を設ける
ことも好ましい。
【００１６】
というのも、野縁受の下面側に野縁をそのまま取り付ける場合には、野縁受の下面と野縁の下面と高さに差が生じるため、野縁の下面に取り付けた天井板（通常、石膏ボードや合板）のつなぎ目部分を塞ごうとすると、天井板のつなぎ目部分につなぎ受材を取り付ける等、別途、つなぎ目処理を行う必要がある。この点、上記のように、野縁受の下面側に設けた野縁嵌合凹部に野縁を嵌合することにより、野縁受の下面と野縁の下面とを同じ高さとし、別途つなぎ目処理を行わなくても、天井板のつなぎ目部分を塞ぐことが可能になるからである。また、天井下地を軽量化することも可能になる。
【００１７】
本発明の施工方法において、天井下地組立工程における天井下地の組立は、複数の室（部屋等）に跨った状態で天井下地を組んでもよい。しかし、天井下地は、建物の室ごとに組んだ方が天井下地組立工程における作業や、その後に行われる天井下地持上工程や天井下地下降工程における作業を効率的に行うことが可能になる。
【発明の効果】
【００１８】
以上のように、本発明によって、効率的に作業を行うことができ、作業に伴う肉体的な負担を軽減することもできる天井下地の施工方法を提供することが可能になる。
【図面の簡単な説明】
【００１９】
【図１】基礎施工工程を終えた状態の建物の一部を示した斜視図である。
【図２】基礎施工工程を終えた状態の建物の一部を示した断面図である。
【図３】床構築工程を終えた状態の建物の一部を示した斜視図である。
【図４】床構築工程を終えた状態の建物の一部を示した断面図である。
【図５】天井下地組立工程を終えた状態の建物の一部を示した斜視図である。
【図６】天井下地組立工程を終えた状態の建物の一部を示した断面図である。
【図７】天井下地を組み立てている状態を示した斜視図である。
【図８】柱施工工程及び梁施工工程を終えた状態の建物の一部を示した斜視図である。
【図９】柱施工工程及び梁施工工程を終えた状態の建物の一部を示した断面図である。
【図１０】天井下地持上工程及び天井下地仮固定工程を終えた状態の建物の一部を示した斜視図である。
【図１１】天井下地持上工程及び天井下地仮固定工程を終えた状態の建物の一部を示した断面図である。
【図１２】壁構築工程及び側野縁取付工程を終えた状態の建物の一部を示した斜視図である。
【図１３】壁構築工程及び側野縁取付工程を終えた状態の建物の一部を示した断面図である。
【図１４】天井下地下降工程を終えた状態の建物の一部を示した斜視図である。
【図１５】天井下地下降工程を終えた状態の建物の一部を示した断面図である。
【図１６】他の態様の天井下地を組み立てている状態を示した斜視図である。
【発明を実施するための形態】
【００２０】
本発明の天井下地の施工方法の好適な実施態様について、図面を用いてより具体的に説明する。本実施態様において、天井下地は、基礎施工工程と、床構築工程と、天井下地組立工程と、柱施工工程と、梁施工工程と、天井下地持上工程と、天井下地仮固定工程と、壁を構築する壁構築工程と、側野縁取付工程と、天井下地下降工程と、天井下地本固定工程とを経て施工される。以下、各工程につき、順に詳しく説明する。
【００２１】
［基礎施工工程］
図１は、基礎施工工程を終えた状態の建物の一部を示した斜視図である。図２は、基礎施工工程を終えた状態の建物の一部を示した断面図である。基礎施工工程は、図１及び図２に示すように、建物の基礎１を施工する工程である。基礎１は、基礎構築用の型枠内に鉄筋を配置してコンクリートを流し込み、該コンクリートを養生させた後、型枠を撤去することにより構築される。基礎１は、立ち上がり部１ａの内側の区画に底版部１ｂが設けられていない「布基礎」であってもよいが、本実施態様では、立ち上がり部１ａの内側の区画に底版部１ｂが設けられた「べた基礎」を採用している。これにより、建物の耐震性をさらに向上することができる。
【００２２】
［床構築工程］
図３は、床構築工程を終えた状態の建物の一部を示した斜視図である。図４は、床構築工程を終えた状態の建物の一部を示した断面図である。床構築工程は、図３及び図４に示すように、床２を構築する工程である。本実施態様においては、基礎施工工程で施工された基礎１の上に土台３を固定し、大引４及び根太５を組んだ後、根太５の上に床下地板６を張ることで、床２を構築している。床下地板６としては、合板が用いられることが多い。このように床２を構築することにより、その上で人が作業をすることが可能になる。根太５は、必ずしも組む必要はなく、大引４の上に床下地板６を直接張るようにしてもよい。
【００２３】
［天井下地組立工程］
図５は、天井下地組立工程を終えた状態の建物の一部を示した斜視図である。図６は、天井下地組立工程を終えた状態の建物の一部を示した断面図である。天井下地組立工程は、図５及び図６に示すように、床２の上で天井下地７を組む工程である。このように、安定した床２の上で天井下地７を組むことができるため、天井下地７を組む作業を効率的に行うことができる。また、上側を見上げながら作業する必要もないため、肉体的な負担を軽減することができる。加えて、この天井下地組立工程は、通常、上棟日に実施することができるため、工期を短縮することもできる。
【００２４】
本実施態様においては、天井下地７として、図７に示す構造のものを使用している。図７は、天井下地７を組み立てている状態を示した斜視図であり、図７（ａ）は、天井下地７を各部に分解した状態を、図７（ｂ）は、天井下地７を組み立てた後の状態を示している。この天井下地７は、互いに略平行に配された複数本の野縁受８と、野縁受８に略直交する向きで互いに略平行に配された複数本の野縁９とで構成されている。野縁８は、野縁受９の下面側に取り付けられる。野縁受８と野縁９との固定は、通常、ビス打ちにより行われる。
【００２５】
また、本実施態様においては、野縁９の両側の端部には、当該端部の上面側から一対の胴縁１０が取り付けられる。胴縁１０は、野縁９における一方の端部と他方の端部とに、それぞれ跨った状態に配される。この胴縁１０は、後述する天井下地下降工程において、側野縁１５（図１２）に載せるための部分となっている。野縁９と胴縁１０の固定は、野縁受８と野縁９との固定と同様、通常、ビス打ちにより行われる。
【００２６】
天井下地７は、通常、室ごとに組み立てられる。この天井下地７は、後述する天井下地持上工程において、室内で上方に持ち上げられる。このため、天井下地７の外寸法は、その天井下地７が配される室の内寸法よりもやや小さく設定される。具体的には、天井下地７における野縁受８に平行な方向での幅Ｗ１（図７）は、その室を区画する四方の内壁面（後述する内壁下地板１７（図１２）の内側の面。以下同じ。）のうち、野縁受８の一端側に配された内壁面と野縁受８の他端側に配された内壁面との幅Ｗ２（図１２）よりもやや小さく設定され、天井下地７における野縁９に平行な方向での幅Ｗ３（図７）は、その室を区画する四方の内壁面のうち、野縁９の一端側に配された内壁面と野縁９の他端側に配された内壁面との幅Ｗ４（図１２）よりもやや小さく設定される。これにより、後述する天井下地持上工程で、天井下地７が内壁下地板１７等に干渉しないようにすることができる。
【００２７】
天井下地７の外寸法（上記の幅Ｗ１又は幅Ｗ３のこと。以下同じ。）は、その天井下地７が配される室の内寸法（上記の幅Ｗ２又は幅Ｗ４のこと。以下同じ。）よりも５ｍｍ以上小さく設定することが好ましく、１０ｍｍ以上小さく設定することが好ましい。ただし、天井下地７の外寸法Ｗ１，Ｗ３を室の内寸法Ｗ２，Ｗ４よりも小さくしすぎると、後述する天井下地下降工程で天井下地７を側野縁１５（図１２）に載せようとすると、側野縁１５の幅を広く確保する必要が生じる。このため、天井下地７の外寸法Ｗ１，Ｗ３は、室の内寸法Ｗ２，Ｗ４よりも５０ｍｍを超えて小さくしないことが好ましい。本実施態様において、天井下地７の外寸法Ｗ１，Ｗ３は、室の内寸法Ｗ２，Ｗ４よりも約２０ｍｍ小さくしている。
【００２８】
［柱施工工程及び梁施工工程］
図８は、柱施工工程及び梁施工工程を終えた状態の建物の一部を示した斜視図である。図８においては、図示の便宜上、紙面手前側にある柱１１等の構造材の一部（同図において破線で示した部分）を破断して描いている。図９は、柱施工工程及び梁施工工程を終えた状態の建物の一部を示した断面図である。図８及び図９に示すように、柱施工工程は、柱１１を施工する工程となっており、梁施工工程は、柱施工工程で施工された柱１１の上方に梁１２を施工する工程となっている。この柱施工工程及び梁施工工程は、通常、上棟日に実施される。本実施態様においては、梁１２を施工した後に、梁１２に吊木１３を取り付けている。吊木１３は、梁１２から下方に垂下した状態に設けられる。この吊木１３には、後述する天井下地本固定工程で、天井下地７が固定される。
【００２９】
［天井下地持上工程及び天井下地仮固定工程］
図１０は、天井下地持上工程及び天井下地仮固定工程を終えた状態の建物の一部を示した斜視図である。図１１は、天井下地持上工程及び天井下地仮固定工程を終えた状態の建物の一部を示した断面図である。図１０及び図１１に示すように、天井下地持上工程は、天井下地７を上方に持ち上げる工程となっており、天井下地仮固定工程は、上方に持ち上げられた天井下地７を梁１２の下方に仮固定する工程となっている。
【００３０】
本実施態様において、天井持上工程では、図８及び図９に示すように床２の上にあった天井下地７を、図１０及び図１１に示すように、梁１２の下面に当接する高さまで持ち上げるようになっている。天井下地７の持上作業は、
［１］  脚立等を利用して天井下地７を下側から押し上げる。
［２］  天井下地７にワイヤーロープ等の線材を取り付け、梁１２の上にいる人がその線材を引っ張り上げる。
［３］  天井下地７にワイヤーロープ等の線材を取り付けて、その線材を梁１２又は梁１２付近に取り付けた滑車等に掛け回し、床２の上にいる人がその線材における天井下地７に取り付けられていない側の端部を引き下げる。
等の方法により行うことができる。
【００３１】
また、本実施態様において、天井下地仮固定工程では、天井下地７における野縁受８の下面側から上方にビス（図示省略）を打ち込み、野縁受８を梁１２の下面に固定することで、天井下地７の仮固定を行うようになっている。ただし、天井下地７の仮固定は、この方法に限定されない。例えば、天井持上工程で、上記の［２］や［３］の方法で天井下地７を持ち上げた場合には、そのときに使用した線材における天井下地７に取り付けられていない側の端部を梁１２等の構造材にくくりつけることで、天井下地７が下降しないように梁１２の下方で仮固定することができる。
【００３２】
［壁構築工程及び側野縁取付工程］
図１２は、壁構築工程及び側野縁取付工程を終えた状態の建物の一部を示した斜視図である。図１３は、壁構築工程及び側野縁取付工程を終えた状態の建物の一部を示した断面図である。図１２及び図１３に示すように、壁構築工程は、壁１４を構築する工程であり、側野縁取付工程は、壁１４の上側部分に側野縁１５を取り付ける工程である。
【００３３】
本実施態様において、壁構築工程では、柱１１の外面側に外壁下地板１６を張るとともに、柱１１の内面側に内壁下地板１７を張ることにより、壁２を構築している。内壁下地板１７としては、通常、石膏ボードや合板が用いられる。また、隣り合う柱１１の隙間には、筋交や間柱が組まれ、断熱材等が収容されるが、筋交や間柱や断熱材は、図示を省略している。一方、側野縁取付工程では、側野縁１５を、梁の下方に仮固定された天井下地よりも下側となる部分に略水平に設けられる。側野縁１５は、通常、廻り縁のように、室の四方を周回するように設けられる。本実施態様において、側野縁１５は、内壁下地板１７にビス打ち又は釘打ちすることにより壁１４に固定している。
【００３４】
［天井下地下降工程及び天井下地本固定工程］
図１４は、天井下地下降工程び天井下地本固定工程を終えた状態の建物の一部を示した斜視図である。図１５は、天井下地下降工程び天井下地本固定工程を終えた状態の建物の一部を示した断面図である。図１４及び図１５に示すように、天井下地下降工程は、天井下地７の仮固定（本実施態様においては、吊木１３に対する仮固定）を外し、天井下地７をその端部が側野縁１５に載る位置まで天井下地７を下降させる工程であり、天井下地本固定工程は、側野縁１５に載せられた天井下地７を建物の構造材に本固定する工程である。
【００３５】
天井下地７は、上述したように、天井下地仮固定工程で梁１２の直下にビス打ちして仮固定していたところ、天井下地下降工程では、そのビスを外して仮固定を外す。天井下地７の下降は、天井下地７が勢いよく落下しないように、上側又は下側から天井下地７を支えながらゆっくりと降ろす。このとき、天井下地７の四辺のうち一部の辺部しか側野縁１５に載っていないと、天井下地７が傾く等、天井下地７の安定性が低下する。このため、天井下地７の四辺全てが側野縁１５の上面に略均等に載るように天井下地７の位置を微調整する。
【００３６】
具体的には、図１４に示すように、野縁受８の端部が、当該端部側の側野縁１５に載り、胴縁１０の外方の側縁部が、その胴縁１０側の側野縁１５に載るようにするとともに、野縁受８の端部と側野縁１５との重なり幅と、胴縁１０の側縁部と側野縁１５との重なり幅が略均一になるようにする。天井下地７が側野縁１５にバランスよく支持されたことを確認すると、天井下地７の本固定を行う。
【００３７】
本実施態様においは、天井下地７の本固定は、野縁受８の中途部分を吊木１３の下端部に固定するとともに、野縁受８の端部を側野縁１５に固定し、胴縁１０の側縁部を側野縁１５に固定することにより行っている。野縁受８と吊木１３との固定方法や、野縁受８と側野縁１５との固定方法や、胴縁１０と側野縁１５との固定方法は、特に限定されないが、通常、ビス打ちや釘打ちが採用される。天井下地７における野縁９の下側には、通常、天井板（図示）が張られる。天井板としては、通常、石膏ボードや合板が用いられる。
【００３８】
以上で、天井下地７の施工が完了する。天井下地７の施工が完了すると、その後は、一般的な手順により、建物を完成させることができる。
【００３９】
［複数階建ての建物における上階の天井下地の施工方法］
以上では、建物が平屋（１階建て）である場合について説明したが、建物が複数階建てであり、２階以上の室の天井下地７を施工する場合には、上記の床構築工程と、天井下地組立工程と、柱施工工程と、梁施工工程と、天井下地持上工程と、天井下地仮固定工程と、壁を構築する壁構築工程と、側野縁取付工程と、天井下地下降工程と、天井下地本固定工程とを下側の下位から繰り返し行う。ただし、１階の床構築工程では、基礎１の上に床２を構築したが、２階の床構築工程では、１階の梁１２の上側に床を構築する。
【００４０】
［その他］
以上で述べた実施態様において、天井下地７は、図７に示す構造のものを用いていた。しかし、図７の天井下地７では、野縁９の上側に野縁受８が完全に載った状態となり、野縁受８の下側から野縁９が突き出た状態となる。このため、野縁９の下面に天井板を取り付けたときに、隣り合う天井板のつなぎ目部分を塞ごうとすると、天井板の裏側空間（隣り合う野縁９の隙間）につなぎ受材を取り付ける等、別途、つなぎ目処理を行う必要があり、煩わしい。また、図７に示す天井下地７は、野縁９が野縁受８と同じ太さのものとなっており、重量も嵩む。
【００４１】
このような実状に鑑みて、天井下地７は、図１６に示す構造のものを用いることもできる。図１６は、他の態様の天井下地１７を組み立てている状態を示した斜視図であり、図１６（ａ）は、天井下地７を各部に分解した状態を、図１６（ｂ）は、天井下地７を組み立てた後の状態を示している。図１６の天井下地７は、複数本の野縁受８と複数本の野縁９とで構成されていることや、野縁９の端部に胴縁１０が取り付けられる等、基本的な構造は、図７の天井下地７と同様である。
【００４２】
ただし、図１６の天井下地７は、野縁受８の中途部分の下面側に、野縁９を嵌合するための野縁嵌合凹部８ａが複数個所に設けられており、野縁受８と野縁９とを組む際に、この野縁嵌合凹部８ａ内に野縁９を嵌合することができるようになっている。野縁９は、野縁嵌合凹部８ａ内に収まるように、野縁受８より細く形成されている。これにより、野縁受８の下面と野縁９の高さとが同じになるようにし、上記のつなぎ目処理を別途行わなくても、天井下地７の下面側に張られる天井板のつなぎ目を塞ぐことが可能になる。また、天井下地７を軽量化することも可能になる。
【００４３】
図１６の天井下地７において、野縁受８の両端部の下面側には、上述した天井下地下降工程で天井下地７を側野縁１５に載せる際に、側野縁１５を嵌合するための側野縁嵌合凹部８ｂが設けられている。これにより、天井下地７を側野縁１５に載せた際に、野縁９の下面と側野縁１５の下面とが同じ高さとなるようにすることが可能となっている。
【００４４】
［用途］
本発明の天井下地の施工方法は、各種の建物を建築する際に採用することができる。なかでも、木造の建物を建築する際に好適に採用することができ、特に、在来工法の建物を建築する際に好適に採用することができる。本発明の天井下地の施工方法は、住宅等の家屋を建築する際に好適に採用することができる。
【符号の説明】
【００４５】
１    基礎
１ａ  立ち上がり部
１ｂ  底版部
２    床
３    土台
４    大引
５    根太
６    床下地板
７    天井下地
８    野縁受
８ａ  野縁嵌合凹部
８ｂ  側野縁嵌合凹部
９    野縁
１０    胴縁
１１    柱
１２    梁
１３    吊木
１４    壁
１５    側野縁
１６    外壁下地板
１７    内壁下地板
【図１】
2020122264.tif 000003
【図２】
2020122264.tif 000004
【図３】
2020122264.tif 000005
【図４】
2020122264.tif 000006
【図５】
2020122264.tif 000007
【図６】
2020122264.tif 000008
【図７】
2020122264.tif 000009
【図８】
2020122264.tif 000010
【図９】
2020122264.tif 000011
【図１０】
2020122264.tif 000012
【図１１】
2020122264.tif 000013
【図１２】
2020122264.tif 000014
【図１３】
2020122264.tif 000015
【図１４】
2020122264.tif 000016
【図１５】
2020122264.tif 000017
【図１６】
2020122264.tif 000018